(57)【特許請求の範囲】
【請求項１】
長方形状の開口部を有する箱状に形成されるボディと、固定接点を有しボディの長手方向の一方に収納される接点端子と、この接点端子側に延びる板状の支持片を有しボディの長手方向の他方に収納される共通端子と、可動接点を有し共通端子の支持片に揺動支点としての一端が圧接される板状の開閉素子と、揺動用の突起を外部両側に有する箱状に形成され開閉素子の他端側に設けられる反転ハンドルと、この反転ハンドルと開閉素子の他端との間に介設されるコイルスプリングと、反転ハンドルの両突起が揺動自在に収納される溝を両側に有する枠状に形成されボディの開口部側に取り付けられるカバーと、このカバーから一部が突出する反転ハンドルに取り付けられ、揺動操作に応じて反転ハンドルおよびコイルスプリング経由で開閉素子を揺動して、その可動接点を接点端子の固定接点に接離させる操作ハンドルとを備え、
共通端子、開閉素子およびコイルスプリングを１組み、そして開閉素子の一の面に対向配置された固定接点を有する接点端子を１個使用する片切構成と、共通端子、開閉素子およびコイルスプリングを２組み、そして各開閉素子の一の面に対向配置された固定接点を有する接点端子を２個使用する両切構成とで、可動接点が片面に設けられた同一構造の開閉素子を使用する一方、
共通端子、開閉素子およびコイルスプリングを１組み、開閉素子の一の面に対向配置された固定接点を有する接点端子を１個、そして開閉素子の他の面に対向配置された固定接点を有する接点端子を１個使用する３路構成と、共通端子、開閉素子およびコイルスプリングを２組み、一方の組みの開閉素子の一の面および他方の組みの開閉素子の他の面にそれぞれ対向配置された両固定接点を有する接点端子を１個、そして他方の組みの開閉素子の一の面および一方の組みの開閉素子の他の面にそれぞれ対向配置された両固定接点を有する接点端子を１個使用する４路構成とで、可動接点が両面に設けられた同一構造の開閉素子を使用し、
可動接点が片面に設けられた開閉素子の一端側の幅寸法は可動接点が両面に設けられた開閉素子のそれよりも幅広になっている
ことを特徴とするスイッチ装置。
【請求項２】
可動接点が片面に設けられた開閉素子は、一の側面に逆組み防止リブが形成され、ボディにはその開閉素子が適正な状態で収納されているとき、逆組み防止リブが位置する側のみにその逆組み防止リブが入る溝が形成されていることを特徴とする請求項１記載のスイッチ装置。
【発明の詳細な説明】
【０００１】
【発明の属する技術分野】
本発明は、スイッチ装置に関するものである。
【０００２】
【従来の技術】
この種のスイッチ装置としては、前面に操作部が設けられ、壁面などの造営面に固定される取付枠を用いて埋込配線されるスイッチ本体を備えたものがあった。
【０００３】
【発明が解決しようとする課題】
上記構成のスイッチ装置では、スイッチ本体に設けられた操作部を用いてスイッチ操作を行っているが、操作部の大きさはスイッチ本体に比べて小さいため、操作性が悪く、見栄えも良くないという問題があり、この問題を解決するため、操作性を改善したスイッチ装置が本出願人により別途出願されている（特願平１１−２８８７４２号）。
【０００４】
図１５にそのスイッチ装置の分解斜視図を示し、図１６（ａ）に正面図、図１６（ｂ）に側面図、図１６（ｃ）に下面図、図１７に断面図をそれぞれ示す。
【０００５】
このスイッチ装置は、前面が開口した略箱状の合成樹脂製のボディ１Ｂと、前面が略矩形状に形成されるとともに、ボディ１Ｂの前面に被着される合成樹脂製のカバー２とで構成されるスイッチ本体１０を備えている。ボディ１Ｂの長手方向の両側面にはそれぞれ一対の係止凸部３が突設されるとともに、カバー２の後端縁からは係止凸部３と係止離脱自在に係止する係止孔４がそれぞれ穿設された舌片５が突設されており、係止凸部３と係止孔４とを凹凸係止させることによってボディ１Ｂとカバー２とが組み立てられる。
【０００６】
ボディ１Ｂの内部は隔壁によって複数の区画に仕切られており、速結端子部を収納する端子収納室９，９が両側に設けられ、後述する片切タイプ（Ｂ接点タイプ）の接点部を収納する接点収納室７が略中央に設けられている。
【０００７】
端子収納室９，９にはそれぞれ導電材料から形成された接点端子１１、共通端子１２が収納されている。接点端子１１、共通端子１２はそれぞれ略コ字状に形成されたコ字状部１３，１４を有しており、コ字状部１３，１４にはそれぞれ一対の鎖錠ばね１５が収納されて、速結端子部が構成してある。また、ボディ１Ｂの底面には各端子収納室９に連通する電線挿入孔１６が２個づつ穿設されている。
【０００８】
ここで、接点端子１１、共通端子１２のコ字状部１３，１４および鎖錠ばね１５から構成される速結端子部について簡単に説明する。鎖錠ばね１５の鎖状片１５ｂおよび接触片１５ｃは、弾性を有する導電材料の帯板の両端部を曲成して中央片１５ａの両端部に形成される。また、接点端子１１、共通端子１２のコ字状部１３，１４は、それぞれ、中央片１３ａ，１４ａと、中央片１３ａ，１４ａの両端縁から中央片１３ａ，１４ａと略直交する方向にそれぞれ突出する当接片１３ｂ，１４ｂおよび接触片１３ｃ，１４ｃから構成される。鎖錠ばね１５の中央片１５ａは、接点端子１１、共通端子１２の当接片１３ｂ，１４ｂに当接し、鎖錠片１５ｂは中央片１５ａとの連結部位から先端縁に向かってコ字状部１３，１４の接触片１３ｃ，１４ｃに近付く向きに傾斜し、接触片１５ｃは略Ｓ字状に曲成されており、鎖錠ばね１５に設けた鎖錠片１５ｂおよび接触片１５ｃがコ字状部１３，１４の接触片１３ｃ，１４ｃと対向する。
【０００９】
速結端子部に電線を接続する場合には、電線の被覆が剥かれた芯線（図示せず）を電線挿入孔１６から挿入すると、鎖錠ばね１５のばね力により鎖錠ばね１５の鎖錠片１５ｂ及び接触片１５ｃと、接点端子１１、共通端子１２の接触片１３ｃ，１４ｃとの間に芯線の導体が挟持され、鎖錠片１５ｂの先端縁が芯線の導体に食い込むことによって、芯線の脱落が防止されるようになっている。したがって、電線挿入孔１６に電線の芯線を挿入するだけで、電線の芯線が保持されるとともに、接点端子１１、共通端子１２への電気的接続がなされるのである。尚、電線挿入孔１６は奥方ほど細くなるように形成されており、電線挿入孔１６からボディ１Ｂ内に挿入された電線の芯線が接点端子１１、共通端子１２と鎖錠ばね１５との間に確実に挿入されるようになっている。
【００１０】
また各端子収納室９内には、一対の鎖錠ばね１５の鎖状片１５ｂと対向させて解除釦１７が収納されている。速結端子部に接続された電線の芯線を外す場合は、ボディ１Ｂの底面に穿設された工具挿入孔１８からマイナスドライバなどの工具を挿入して、解除釦１７を押圧することにより、解除釦１７の突起１７ａが鎖状片１５ｂを押圧して、鎖状片１５ｂを接点端子１１、共通端子１２の接触片１３ｃ，１４ｃから離れる向きに撓ませるので、鎖状片１５ｂが芯線の導体から離れ、芯線を容易に引き抜くことができる。なお、解除釦１７は両側に突起１７ａを有しているので、解除釦１７を操作することによって一対の鎖錠ばね１５の鎖状片１５ｂを同時に撓ませて、一対の鎖錠ばね１５と芯線との係止状態を同時に解除して、芯線を一度に外すことができる。
【００１１】
一方、接点部は接点端子１１、共通端子１２と開閉素子１９とで構成される。一方の接点端子１１の中央片１３ａと当接片１３ｂとの連結部位には、端部に固定接点２１が設けられた略Ｌ字状の端子片２０が突設されており、他方の共通端子１２の当接片１４ｂの端部からは、先端に開閉素子１９の揺動支点となる支点突起２２が形成された支持片２３が突設されている。開閉素子１９は導電材料よりなる帯板を略コ字状に曲成して形成され、中央片１９ａの両端縁に側片１９ｂ，１９ｂが形成されており、一方の側片１９ｂには固定接点２１と接離自在に接触する可動接点２４が形成されている。ボディ１Ｂの両側面の略中央には内方に突出するリブ３３，３３が突設されており、ボディ１Ｂの接点収納室７内に接点端子１１、共通端子１２を収納した状態で、中央片１９ａをボディ１Ｂ底面側にして開閉素子１９を接点収納室７内に納めると、開閉素子１９の中央片１９ａが共通端子１２の支点突起２２と当接し、開閉素子１９が支点突起２２を中心として揺動自在に配置される。この時、開閉素子１９の両側にリブ３３，３３が配置され、ボディ１Ｂの短幅方向への開閉素子１９の移動がリブ３３，３３によって規制される。また、開閉素子１９の側片１９ｂには側方に突出する突起３７が突設されており、この突起３７がリブ３３と係止することにより、開閉素子１９の揺動範囲が規制される。
【００１２】
一方、カバー２は前面に略矩形状の開口２５が形成され、開口２５の長手方向略中央の開口縁には前方に突出する軸受け台２６が突設されており、各軸受け台２６の互いに対向する面には溝２７が形成されている。また、カバー２の短幅方向の両側面には、カバー２の前面よりも一段高くなった段部２８，２８が形成され、各段部２８にはそれぞれ側方に突出する取付手段たる一対の係止爪２９が突設されている。なお、係止爪２９から、施工面に固定される取付枠たるプレート枠に設けられた器具取付部と係止離脱自在に係止する取付手段が構成される。
【００１３】
接点部の開閉操作を行うための操作部たる合成樹脂製の反転ハンドル３０は背面が開口した略箱状であって、前面が略矩形状に形成されており、長手方向の両側面にはカバー２の溝２７に入り込む突起３１がそれぞれ突設されている。また、反転ハンドル３０前面の長手方向における一端側には開口３４が穿設され、開口３４の両側には側方に突出する被係止部たる爪３５，３５が突設され、反転ハンドル３０前面の長手方向における他端側略中央には側方に突出する爪３６が突設されている。また、カバー２前面の裏側にはコイルスプリング３２が納められる棒状突起（図示せず）が設けられている。
【００１４】
反転ハンドル３０の前面側には合成樹脂製の操作ハンドル３８ａが着脱自在に取り付けられる。操作ハンドル３８ａの裏面の長手方向略中央には弾性を有する係止手段たる係止爪片３９，４０が突設されている。係止爪片３９，４０の先端には内方に突出する爪３９ａ，４０ａが突設され、係止爪片３９，４０の爪３９ａ，４０ａと反転ハンドル３０の爪３５，３６とを係止させることにより、操作ハンドル３８ａの長手方向における中心とスイッチ本体１０の短幅方向における中心とが略一致するようにして、操作ハンドル３８ａが反転ハンドル３０に取り付けられる。
【００１５】
また、反転ハンドル３０の開口３４に対応する操作ハンドル３８ａの部位には、操作ハンドル３８ａの長手方向に沿って走る溝４１が形成されている。この溝４１内には長尺状の板片からなるハンドルライン４５ａが取り付けられる。ハンドルライン４５ａの略中央には窓孔４６が穿設されている。またハンドルライン４５ａの長手方向の両側縁における孔４３ｂ〜４３ｄに対応する部位には背方に突出する係止部としての係止爪片４８が突設され、係止爪片４８の先端には外側に突出する爪４９が突設されている。而して、ハンドルライン４５ａを操作ハンドル３８ａに取り付ける際は、先ずハンドルライン４５ａの凸部４７を操作ハンドル３８の孔４３ａ内に挿入し、この凸部４７を支点としてハンドルライン４５ａを回転させ、ハンドルライン４５ａの係止爪片４８を対応する孔４３ｂ〜４３ｄ内に挿入して、係止爪片４８の先端に設けられた爪４９と孔４３ｂ〜４３ｄの端縁とを係止させることにより、ハンドルライン４５ａが操作ハンドル３８ａに取り付けられる。
【００１６】
この構成では、ハンドルライン４５ａの長手方向における一端側に凸部４７を突設し、先ず凸部４７を溝４１の一端側に穿設された孔４３ａに挿入して、凸部４７を支点としてハンドルライン４５ａを回転させ、係止爪片３８を対応する孔４３ｂ〜４３ｄに挿入して、爪３９と孔４３ｂ〜４３ｄの端部とを係止させているので、ハンドルライン４５ａが回転して、取り付けにくくなることはない。
【００１７】
図３では、片切タイプの接点部のオフ時に点灯してスイッチ装置の設置位置を表示する位置表示ランプたるネオンランプ５３を有する点灯表示部５２を反転ハンドル３０内に組み込み、反転ハンドル３０の前面に穿設された開口３４にネオンランプ５３を臨ませている。また、操作ハンドル３８ａの溝４１におけるハンドルライン４５ａの窓孔４６に対応する部位には、操作ハンドル３８ａを貫通する長孔状の孔５４が穿設されている。導光部材たるプリズム５５ａは孔５４および窓孔４６に挿通され先端がハンドルライン４５ａ前面から突出する先端に丸みを持たせた突起たる細長の凸部５６を有しており、操作ハンドル３８ｂの裏面側から孔５４内に凸部５６を挿入した状態で、プリズム５５ａは操作ハンドル３８ａにかしめ固定される。而して、操作ハンドル３８ａを反転ハンドル３０に取り付けると、プリズム５５ａの入射面５７がネオンランプ５３に対向して配置される。また、プリズム５５ａの凸部５６の先端が操作ハンドル３８ａの前面から突出しているので、凸部５６により接点部をオン操作する際に押し操作する操作ハンドル３８ａの位置を容易に判別することができる。
【００１８】
一方、点灯表示部５２は、合成樹脂製の回路基板５２ａにインサート成形されている端子板（図示せず）にネオンランプ５３及び抵抗Ｒの一端を電気的に接続して成り、回路基板５２ａの略中央には圧入孔５２ｂが形成されている。そして、反転ハンドル３０内に設けられてコイルスプリング３２の一端部が挿入固定される棒状突起（図示せず）を上記圧入孔５２ｂに圧入することで回路基板５２ａが棒状突起に固定され反転ハンドル３０内に納装される。このとき、ネオンランプ５３及び抵抗Ｒは反転ハンドル３０内の棒状突起周囲のスペースに収納される。
【００１９】
回路基板５２ａの長手方向一端側（接点端子１１に対向する側）からは、回路基板５２ａにインサート成形される端子板と一体に形成され、接点端子１１の上面部と接離自在に接触導通する端子片５２ｃが突出させてある。この端子片５２ｃの下面には接点（図示せず）が形成してある。また、抵抗Ｒの一方の端子Ｒａが棒状突起の側面に設けた縦溝を通して棒状突起内に挿入される。そして、棒状突起の内部において抵抗Ｒの端子Ｒａとコイルスプリング３２とを接触導通させている。
【００２０】
以下にスイッチ装置を組み立てる手順について簡単に説明する。先ず、ボディ１Ｂの各端子収納室９内に一対の鎖錠ばね１５および解除釦１７を収納するとともに、接点収納室７内に接点端子１１、共通端子１２および開閉素子１９を収納した状態で、コイルスプリング３２の一端を棒状突起内に納めた反転ハンドル３０を、コイルスプリング３２の他端が開閉素子１９の中央片１９ａに入り込むようにしてボディ１Ｂに組み込んだ後、カバー２をボディ１Ｂの前面側から取り付けて、ボディ１Ｂの係止凸部３とカバー２の係止孔４とを凹凸係止させることにより、ボディ１Ｂとカバー２とを結合する。この時、開閉素子１９と反転ハンドル３０との間でコイルスプリング３２が押し撓められ、コイルスプリング３２のばね力によって反転ハンドル３０の突起３１が軸受け部２６の溝２７に押しつけられ、反転ハンドル３０は切り換えられた状態を保持する。
【００２１】
次に、反転ハンドル３０を傾斜させた状態（すなわち反転ハンドル３０の２個の爪３５が突設された側を、爪３６が突設された側よりも上側にした状態）で、先ず反転ハンドル３０の爪３５に対応する係止爪片４０の爪４０ａを爪３５に係止させた後、操作ハンドル３８ａの略中央をスイッチ本体１０側に押圧して、係止爪片３９に突設された爪３９ａと反転ハンドル３０の爪３６とを係止させることにより、操作ハンドル３８ａが反転ハンドル３０に取り付けられる。
【００２２】
一方、操作ハンドル３８ａを反転ハンドル３０から取り外す際は、先ず反転ハンドル３０および操作ハンドル３８ａが傾斜している状態（すなわち反転ハンドル３０の２個の爪３５が突設された側を、爪３６が突設された側よりも下側にした状態）で、カバー２の段部２８と操作ハンドル３８ａとの間にマイナスドライバなどの工具を差し込み、段部２８を支点にして工具を倒すと、操作ハンドル３８ａの側壁が工具により外側に引っ張られ、操作ハンドル３８ａの主部が撓んで、操作ハンドル３８ａの主部裏面に突設された係止爪片３９が外側に傾斜するので、係止爪片３９の爪３９ａと反転ハンドル３０の爪３６との係止状態が外れ、操作ハンドル３８ａを反転ハンドル３０から取り外すことができる。このように、操作ハンドル３８ａを反転ハンドル３０に着脱自在に取り付けているので、操作ハンドル３８ａの破損時には操作ハンドル３８ａだけを交換することができ、また様々な色の操作ハンドル３８ａを用意することにより、施工現場の雰囲気に合わせた色の操作ハンドル３８ａを選択して取り付けることができる。なお、操作ハンドル３８ａの主部裏側には、反転ハンドル３０の前面および側面の一部と当接するリブ５１ａが突設されているので、反転ハンドル３０に操作ハンドル３８ａを取り付けた際に、操作ハンドル３８ａのがたつきを抑えることができる。
【００２３】
このスイッチ装置は、施工面に固定されるプレート枠（図示せず）に着脱自在に取り付けられる。プレート枠は絶縁性を有する合成樹脂により一方の辺が他方の辺よりも長い矩形枠状に形成され、中央部にはスイッチ本体１０の前面に取り付けられた操作ハンドル３８ａを前面側に露出させるために矩形状の開口窓が設けられる。開口窓の寸法はスイッチ本体１０の寸法を配線器具の基準寸法（以下、この寸法を「１個モジュール寸法」と呼ぶ）としたときに、スイッチ本体１０の長手方向を開口窓の長手方向と略直交させた状態で１個モジュール寸法のスイッチ本体１０が長手方向と直交する方向に３個並べて取り付けることができる寸法に形成される。
【００２４】
このスイッチ装置の動作について以下に簡単に説明する。図１７に示すように、操作ハンドル３８ａおよび反転ハンドル３０が図３中右下がりに傾斜し、可動接点２４が固定接点２１と接触している状態（オン状態）で、操作ハンドル３８ａの図３中左側を押圧すると、操作ハンドル３８ａを押圧する力によって反転ハンドル３０が反転動作し、図中左下がりに傾斜した状態となる。反転ハンドル３０の反転動作に応じてコイルスプリング３２は図３中右側に反るため、コイルばね３２の曲がり具合に応じて開閉素子１９が支点突起２２を支点として図３中右回りに回動し、可動接点２４が固定接点２１と開離する。この時、反転ハンドル３０はコイルスプリング３２のばね力によって反転した状態を保持し、接点部はオフ状態のままとなる。また、回路基板５２ａの端部から突出する端子片５２ｃの下面に形成された接点が接点端子１１の上面部に接触導通し、開閉素子１９と接触導通しているコイルスプリング３２を介してネオンランプ５３並びに抵抗Ｒに電源が供給されてネオンランプ５３が点灯し、ネオンランプ５３の発光がプリズム５５ａの入射面５７に入射し、プリズム５５ａ内で屈折されて凸部５６から外部に出射され、接点部のオフ時にスイッチ装置の位置を表示することができる。
【００２５】
一方、操作ハンドル３８ａおよび反転ハンドル３０が図３中左下がりに傾斜し、可動接点２４が固定接点２１と開離している状態（オフ状態）で、操作ハンドル３８ａの図３中右側を押圧すると、操作ハンドル３８ａを押圧する力によって反転ハンドル３０が反転動作し、図中右下がりに傾斜した状態となる。反転ハンドル３０の反転動作に応じてコイルスプリング３２は図３中左側に反るため、コイルスプリング３２の曲がり具合に応じて開閉素子１９が支点突起２２を支点として図３中左回りに回動し、可動接点２４が固定接点２１と接触する。この時、反転ハンドル３０はコイルスプリング３２のばね力によって反転した状態を保持し、接点部はオン状態のままとなる。また、回路基板５２ａの端子片５２ｃが接点端子１１の上面部から開離するので、ネオンランプ５３が消灯する。なお、操作ハンドル３８ａの主部裏面には背方に突出する略Ｖ字状のリブが一対突設されており、操作ハンドル３８ａの端部が押圧された際にリブの先端がカバー２と当接するので、操作ハンドル３８ａがスイッチ本体１０側に沈み込むのを防止することができる。
【００２６】
図１８に両切タイプ（Ｄ接点タイプ）のスイッチ装置を示す。このスイッチ装置は、基本的に、共通端子１２1 ，１２2 、開閉素子１９，１９およびコイルスプリング３２，３２を２組み、そして各開閉素子の可動接点２４と対向配置された固定接点を有する接点端子１１1 ，１１2 を２個使用する構成になっている。このため、接点端子、共通端子、開閉素子およびコイルスプリングの各組みを個別に収納する端子収納室９1 ，９2 が形成されたボディ１Ｄがボディ１Ｂに代えて使用される。なお、図１８の例では、操作ハンドル３８ａに代えて、１個モジュール寸法の操作ハンドル３８ｂが使用されている。
【００２７】
図１９に３路タイプ（Ｃ接点タイプ）のスイッチ装置の分解斜視図を示し、図２０（ａ）に正面図、図２０（ｂ）に側面図、図２０（ｃ）に下面図、図２１に断面図をそれぞれ示す。このスイッチ装置では、接点部の接点状態に応じてオンオフされる負荷（例えば照明負荷）のオフ時に点灯してスイッチ装置の場所を表示する点灯表示部５２を反転ハンドル３０内に組み込み、反転ハンドル３０の前面に穿設された開口３４に点灯表示部５２のネオンランプ５３を臨ませている。プリズム５５ｂは、操作ハンドル３８ｂの孔５４およびハンドルライン４５ａの窓孔４６に挿通される先端が平らな細長の凸部６２を有しており、操作ハンドル３８ａの裏面側から孔５４内に凸部６２を挿入した状態で、プリズム５５ｂは操作ハンドル３８ａにかしめ固定される。而して、操作ハンドル３８ａを反転ハンドル３０に取り付けると、プリズム５５ｂの入射面５７がネオンランプ５３に対向して配置され、入射面５７から入射したネオンランプ５３の発光はプリズム５５ｂ内で屈折されて凸部５６から外部に出射され、負荷のオフ時にスイッチ装置の位置を表示することができる。
【００２８】
スイッチ本体１０内には、中央に貫通孔５２ｅを有する矩形枠状に形成され、ネオンランプ５３及び抵抗Ｒが実装された回路基板５２ｄが納装される。この回路基板５２ｄの下面（非実装面）の両端部には接触部が設けてあり、これらの接触部が回路基板５２ｄ上のネオンランプ５３並びに抵抗Ｒと電気的に接続されている。
【００２９】
図１９に示すように接点端子５８，６０は、中央片５８ａ，６０ａが回路基板５２ｄと対向するように設けてあり、一方の接点端子５８の中央片５８ａ一端側には、鎖錠ばね１５の接触片１５ｂおよび当接片１５ｃと対向する接触片５８ｂが突設されており、中央片５８ａの他端側からは、開閉素子１９の一方の可動接点２４ａと接離自在に接触する固定接点５９が先端に設けられた略Ｌ字状の端子片５８ｃが延設されている。他方の接点端子６０の中央片６０ａ一端側には、鎖錠ばね１５の接触片１５ｂおよび当接片１５ｃと対向する接触片６０ｂが突設されており、中央片６０ａの他端側からは開閉素子１９の他方の可動接点２４ｂと接離自在に接触する固定接点６１が先端に設けられた略Ｌ字状の端子片６０ｃが延設されている。そして、接点端子５８，６０の中央片５８ａ，６０ａの各上面部には、それぞれ弾性を有する接触子６３，６４が取着される。
【００３０】
接触子６３，６４は互いに鏡像の関係にあり、接点端子５８，６０の中央片５８ａ、６０ａに接触導通する平板状の主片６３ａ，６４ａと、主片６３ａ，６４ａの一端部から延出して回路基板５２ｄの接触部に接触導通する略へ字状の接触片６３ｂ，６４ｂと、主片６３ａ，６４ａにおける接触片６３ｂ，６４ｂと隣り合う両端縁に折曲形成された一対の側片とが導電性を有する板材によって一体に形成されている。
【００３１】
而して、接触子６３，６４の側片に設けた係止片を接点端子５８，６０の中央片５８ａ、６０ａの端部に係止した後、他方の側片を中央片５８ａ，６０ａの方へ押し付けるようにすれば、側片に設けた係止爪が中央片５８ａ、６０ａの端縁に当接して撓められ、やがて係止爪の先端が中央片５８ａ，６０ａの端縁を乗り越えると、係止爪が中央片５８ａ，６０ａの端部に係止し、接触子６３，６４が接点端子５８，６０に取着され且つ係止固定される。このように、接触子６３，６４を接点端子５８，６０に係止固定する固定手段を設けたので、接触子６３，６４を接点端子に容易に取着することができて組立作業が簡素化できるという利点がある。
【００３２】
ここで、接点端子５８，６０を絶縁収納する隔壁がさらに設けられたボディＣがボディ１Ｂに代えて使用される。カバー２の内周面に複数の押さえリブ（図示せず）が突設してあり、ボディ１Ｂとカバー２を組み立ててスイッチ本体１０を構成した場合に、上記押さえリブが回路基板５２ｄの周縁部に当接して回路基板５２ｄをボディ１側へ押さえつけるようになっている。その結果、回路基板５２ｄの接触部と各接触子６３，６４の接触片６３ｂ，６４ｂとが弾接して、接点端子５８，６０と回路基板５２ｄとが電気的に接続されており、負荷のオフ時に接触子６３，６４を介して点灯表示部５２に給電されて、ネオンランプ５３が点灯することになる。なお、回路基板５２ｄの貫通孔５２ｅに反転ハンドル３０の棒状突起が挿通されるため、反転ハンドル３０の回動時に回路基板５２ｄが邪魔になることがないものである。
【００３３】
図２２に４路タイプ（Ｅ接点タイプ）のスイッチ装置を示す。このスイッチ装置は、基本的に、共通端子１２1 ，１２2 、開閉素子１９，１９およびコイルスプリング３２，３２を２組み、一方の組みの開閉素子１９の一の面および他方の組みの開閉素子１９の他の面にそれぞれ対向配置された両固定接点（６１2 の方のみ図示）を有する接点端子１１1'を１個、そして他方の組みの開閉素子１９の一の面および一方の組みの開閉素子１９の他の面にそれぞれ対向配置された両固定接点（５９2 の方の図示）を有する接点端子１１2'を１個使用する構成になっている。このため、接点端子、共通端子、開閉素子およびコイルスプリングの各組みを絶縁収納する端子収納室９1 ，９2 が形成されたボディ１Ｅが使用される。
【００３４】
これらスイッチ装置によれば、操作性を改善することができる。しかし、Ｂ，Ｄ接点タイプのスイッチ装置で使用される開閉素子のボディ側の寸法と、Ｃ，Ｅ接点タイプのスイッチ装置で使用される開閉素子のボディ側の寸法とに差がないため、Ｂ，Ｄ接点タイプのスイッチ装置の開閉素子がＣ，Ｅ接点タイプのスイッチ装置に誤使用されるおそれがあった。この場合、Ｂ，Ｄ接点タイプのスイッチ装置の開閉素子には可動接点が片面にしか設けられていないので接点不良の原因となる。
【００３５】
本発明は、上記事情に鑑みてなされたものであり、片切構成または両切構成の開閉素子が３路構成または４路構成の開閉素子として誤使用されるのを防止しうるスイッチ装置を提供することを目的とする。
【００３６】
【課題を解決するための手段】
上記課題を解決するための請求項１記載の発明のスイッチ装置は、長方形状の開口部を有する箱状に形成されるボディと、固定接点を有しボディの長手方向の一方に収納される接点端子と、この接点端子側に延びる板状の支持片を有しボディの長手方向の他方に収納される共通端子と、可動接点を有し共通端子の支持片に揺動支点としての一端が圧接される板状の開閉素子と、揺動用の突起を外部両側に有する箱状に形成され開閉素子の他端側に設けられる反転ハンドルと、この反転ハンドルと開閉素子の他端との間に介設されるコイルスプリングと、反転ハンドルの両突起が揺動自在に収納される溝を両側に有する枠状に形成されボディの開口部側に取り付けられるカバーと、このカバーから一部が突出する反転ハンドルに取り付けられ、揺動操作に応じて反転ハンドルおよびコイルスプリング経由で開閉素子を揺動して、その可動接点を接点端子の固定接点に接離させる操作ハンドルとを備え、共通端子、開閉素子およびコイルスプリングを１組み、そして開閉素子の一の面に対向配置された固定接点を有する接点端子を１個使用する片切構成と、共通端子、開閉素子およびコイルスプリングを２組み、そして各開閉素子の一の面に対向配置された固定接点を有する接点端子を２個使用する両切構成とで、可動接点が片面に設けられた同一構造の開閉素子を使用する一方、共通端子、開閉素子およびコイルスプリングを１組み、開閉素子の一の面に対向配置された固定接点を有する接点端子を１個、そして開閉素子の他の面に対向配置された固定接点を有する接点端子を１個使用する３路構成と、共通端子、開閉素子およびコイルスプリングを２組み、一方の組みの開閉素子の一の面および他方の組みの開閉素子の他の面にそれぞれ対向配置された両固定接点を有する接点端子を１個、そして他方の組みの開閉素子の一の面および一方の組みの開閉素子の他の面にそれぞれ対向配置された両固定接点を有する接点端子を１個使用する４路構成とで、可動接点が両面に設けられた同一構造の開閉素子を使用し、可動接点が片面に設けられた開閉素子の一端側の幅寸法は可動接点が両面に設けられた開閉素子のそれよりも幅広になっていることを特徴とする。
【００３７】
請求項２記載の発明は、請求項１記載のスイッチ装置において、可動接点が片面に設けられた開閉素子は、一の側面に逆組み防止リブが形成され、ボディにはその開閉素子が適正な状態で収納されているとき、逆組み防止リブが位置する側のみにその逆組み防止リブが入る溝が形成されていることを特徴とする。
【００３８】
【発明の実施の形態】
以下、本発明のスイッチ装置に係る一実施形態について説明する。ただし、図１５から図２２で説明したスイッチ装置のものと同様のものについては同一の符号を使用してその説明を省略する。
【００３９】
図１（ａ）はＢ，Ｄ接点タイプのスイッチ装置で使用する開閉素子の平面図、（ｂ）はＣ，Ｅ接点タイプのスイッチ装置で使用する開閉素子の平面図であり、図２（ａ），（ｂ）は図１（ａ）の開閉素子などを示す斜視図である。
【００４０】
まず、図１，図２の開閉素子が使用されるスイッチ装置について説明する。図１（ａ），図２の開閉素子１９ＢＤが使用されるＢ接点タイプのスイッチ装置の斜視図を図３に、正面図を図４（ａ）に、長尺側の側面図を図４（ｂ）に、短尺側の側面図を図４（ｃ）に、断面図を図５に示す。ここで、操作ハンドル３８ｃとしては１個モジュール寸法のものが使用され、操作ハンドル３８ｃは、プリズム５５ａの凸部５６用の孔３８１を有し、背面側には反転ハンドル３０に取り付けるための係止爪片３９，４０などが図５に示すように形成されている。また、開閉素子１９ＢＤが板状に形成される関係で、共通端子１２の支持片２３には、支点突起２２に代えて支点溝２２’が形成されている。
【００４１】
図１（ａ），図２の開閉素子１９ＢＤが使用されるＤ接点タイプのスイッチ装置の斜視図を図６に、正面図を図７（ａ）に、長尺側の側面図を図７（ｂ）に、短尺側の側面図を図７（ｃ）に、断面図を図８に示す。ここで、操作ハンドル３８ｂとしては１個モジュール寸法のものが使用され、操作ハンドル３８ｂは、突起３８２を有し、背面側には反転ハンドル３０に取り付けるための係止爪片３９，４０などが図８に示すように形成されている。また、開閉素子１９ＢＤが板状に形成される関係で、共通端子１２1 ，１２2 の支持片２３には、支点突起２２に代えて支点溝２２’が形成されている。
【００４２】
他方、図１（ｂ）の開閉素子１９ＣＥが使用されるＣ接点タイプのスイッチ装置の斜視図を図６に、正面図を図７（ａ）に、長尺側の側面図を図７（ｂ）に、短尺側の側面図を図７（ｃ）に、断面図を図８に示す。ここで、開閉素子１９ＣＥが板状に形成される関係で、共通端子１２の支持片２３には、支点突起２２に代えて支点溝２２’が形成されている。
【００４３】
図１（ｂ）の開閉素子１９ＣＥが使用されるＥ接点タイプのスイッチ装置の斜視図を図１２に、正面図を図１３（ａ）に、長尺側の側面図を図１３（ｂ）に、短尺側の側面図を図１３（ｃ）に、断面図を図１４に示す。ここで、開閉素子１９ＣＥが板状に形成される関係で、共通端子１２1 ，１２2 の支持片２３には、支点突起２２に代えて支点溝２２’が形成されている。
【００４４】
要するに、Ｂ，Ｄ，Ｃ，Ｅ接点のスイッチ装置は、長方形状の開口部を有する箱状に形成されるボディ（１Ｂ，１Ｄ，１Ｃ，１Ｅ）と、固定接点を有しボディの長手方向の一方に収納される接点端子（１１，１１1 および１１2 ，５８および６０，１１1'および１１2'）と、この接点端子側に延びる板状の支持片を有しボディの長手方向の他方に収納される共通端子（１２，１２1 および１２2 ，１２，１２1 および１２2 ）と、可動接点を有し共通端子の支持片に揺動支点としての一端が圧接される板状の開閉素子（１９ＢＤ，１９ＢＤ，１９ＣＥ，１９ＣＥ）と、揺動用の突起を外部両側に有する箱状に形成され開閉素子の他端側に設けられる反転ハンドル（３０，３０，３０，３０）と、この反転ハンドルと開閉素子の他端との間に介設されるコイルスプリング（３２，３２および３２，３２，３２および３２）と、反転ハンドルの両突起が揺動自在に収納される溝を両側に有する枠状に形成されボディの開口部側に取り付けられるカバー（２，２，２，２）と、このカバーから一部が突出する反転ハンドルに取り付けられ、揺動操作に応じて反転ハンドルおよびコイルスプリング経由で開閉素子を揺動して、その可動接点を接点端子の固定接点に接離させる操作ハンドル（３８ｃ，３８ｂ，３８ｃ，３８ｃ）とを備えているとともに、速結用の鎖錠ばね１５および解除釦１７を備えている。
【００４５】
本実施形態では、１組みの共通端子１２、開閉素子１９ＢＤおよびコイルスプリング３２と、開閉素子１９ＢＤの一の面（図では接点端子側の面）に対向配置された固定接点２１を有する１個の接点端子１１とを使用するＢ接点タイプの構成と、２組みの、共通端子１２1 ，１２2 、開閉素子１９ＢＤ，１９ＢＤおよびコイルスプリング３２，３２と、各開閉素子１９ＢＤの一の面に対向配置された固定接点２１を有する２個の接点端子１１1 ，１１2 とを使用するＤ接点タイプの構成とで、可動接点２４が片面に設けられた同一構造の開閉素子１９ＢＤが使用される。これにより、Ｂ接点タイプ用とＤ接点タイプ用の開閉素子を別々に用意する必要がなくなり、部品点数を削減することができる。
【００４６】
他方、１組みの、共通端子１２、開閉素子１９ＣＥおよびコイルスプリング３２と、開閉素子３２の一の面に対向配置された固定接点５９を有する１個の接点端子５８と、開閉素子３２の他の面に対向配置された固定接点６１を有する１個の接点端子６０とを使用するＣ接点タイプの構成と、２組みの、共通端子１２1 ，１２2 、開閉素子１９ＣＥ，１９ＣＥおよびコイルスプリング３２，３２と、一方の組みの開閉素子１９ＣＥの一の面および他方の組みの開閉素子１０ＣＥの他の面にそれぞれ対向配置された固定接点６１1 ，６１2 を有する１個の接点端子１１1'と、他方の組みの開閉素子１９ＣＥの一の面および一方の組みの開閉素子１９ＣＥの他の面にそれぞれ対向配置された固定接点５９1 ，５９2 を有する１個の接点端子１１2'とを使用するＥ接点タイプの構成とで、可動接点２４ａ，２４ｂが両面に設けられた同一構造の開閉素子１９ＣＥが使用される。これにより、Ｃ接点タイプ用とＥ接点タイプ用の開閉素子を別々に用意する必要がなくなり、部品点数を削減することができる。
【００４７】
そして、可動接点２４が片面に設けられた開閉素子１９ＢＤの揺動支点側の幅寸法は、図１に示すように、可動接点２４ａ，２４ｂが両面に設けられた開閉素子１９ＣＥのそれよりも幅広になっている（Ｌ１＞Ｌ２）。また、ボディ１Ｂ，１Ｄには、それぞれ開閉素子１９ＢＤの揺動支点側の幅とほぼ等しい幅を持つ溝１１Ｂ，１１Ｄが形成される一方、ボディ１Ｃ，１Ｅには、開閉素子１９ＣＥの揺動支点側の幅とぼぼ等しい幅を持つ溝１１Ｃ，１１Ｅが形成される。これにより、Ｂ，Ｄ接点タイプの開閉素子１９ＢＤをボディ１Ｃ，１Ｅに収納することができなくなるので、Ｂ接点タイプまたはＤ接点タイプの開閉素子１９ＢＤがＣ接点タイプまたはＥ接点タイプの開閉素子として誤使用されるのを防止することができ、製造不良をなくすことができる。
【００４８】
さらに、本実施形態では、図２に示すように、可動接点２４が片面に設けられた開閉素子１９ＢＤは、一の側面に逆組み防止リブ１９１が形成され、ボディ１Ｂ，１Ｄには、その開閉素子１９ＢＤが適正な状態で収納されているとき、逆組み防止リブ１９１が位置する側のみにその逆組み防止リブ１９１が入る溝１ｂｄ（逆組み防止構造）が形成されている。従って、図２（ｂ）のように、可動接点２４が逆向きで開閉素子１９ＢＤをボディ１Ｂ，１Ｄに収納しようとしても、逆組み防止リブ１９１の干渉により、ボディ１Ｂ，１Ｄの溝１１Ｂ，１１ｄにまで開閉素子１９ＢＤを挿入することができなくなる。これにより、開閉素子１９ＢＤのボディ１Ｂ，１Ｄへの逆組みを防止することができ、製造工程での不良を減少させることができる。また、ボディ側の逆組み防止構造が製造工程における開閉素子の組込み用のガイドとなるから、製造が容易となる。
【００４９】
なお、開閉素子１９ＢＤ，１９ＣＥを板状に形成した関係で、他端側にはコイルスプリング３２に嵌入するための一段幅が狭くなった突起１９２が形成されている。
【００５０】
【発明の効果】
以上のことから明らかなように、請求項１記載の発明によれば、長方形状の開口部を有する箱状に形成されるボディと、固定接点を有しボディの長手方向の一方に収納される接点端子と、この接点端子側に延びる板状の支持片を有しボディの長手方向の他方に収納される共通端子と、可動接点を有し共通端子の支持片に揺動支点としての一端が圧接される板状の開閉素子と、揺動用の突起を外部両側に有する箱状に形成され開閉素子の他端側に設けられる反転ハンドルと、この反転ハンドルと開閉素子の他端との間に介設されるコイルスプリングと、反転ハンドルの両突起が揺動自在に収納される溝を両側に有する枠状に形成されボディの開口部側に取り付けられるカバーと、このカバーから一部が突出する反転ハンドルに取り付けられ、揺動操作に応じて反転ハンドルおよびコイルスプリング経由で開閉素子を揺動して、その可動接点を接点端子の固定接点に接離させる操作ハンドルとを備え、共通端子、開閉素子およびコイルスプリングを１組み、そして開閉素子の一の面に対向配置された固定接点を有する接点端子を１個使用する片切構成と、共通端子、開閉素子およびコイルスプリングを２組み、そして各開閉素子の一の面に対向配置された固定接点を有する接点端子を２個使用する両切構成とで、可動接点が片面に設けられた同一構造の開閉素子を使用する一方、共通端子、開閉素子およびコイルスプリングを１組み、開閉素子の一の面に対向配置された固定接点を有する接点端子を１個、そして開閉素子の他の面に対向配置された固定接点を有する接点端子を１個使用する３路構成と、共通端子、開閉素子およびコイルスプリングを２組み、一方の組みの開閉素子の一の面および他方の組みの開閉素子の他の面にそれぞれ対向配置された両固定接点を有する接点端子を１個、そして他方の組みの開閉素子の一の面および一方の組みの開閉素子の他の面にそれぞれ対向配置された両固定接点を有する接点端子を１個使用する４路構成とで、可動接点が両面に設けられた同一構造の開閉素子を使用し、可動接点が片面に設けられた開閉素子の一端側の幅寸法は可動接点が両面に設けられた開閉素子のそれよりも幅広になっているので、片切，両切構成の開閉素子を３路，４路構成用のボディに収納することができなくなるから、片切構成または両切構成の開閉素子が３路構成または４路構成の開閉素子として誤使用されるのを防止することができる。
【００５１】
請求項２記載の発明によれば、請求項１記載のスイッチ装置において、可動接点が片面に設けられた開閉素子は、一の側面に逆組み防止リブが形成され、ボディにはその開閉素子が適正な状態で収納されているとき、逆組み防止リブが位置する側のみにその逆組み防止リブが入る溝が形成されているので、可動接点が逆向きで開閉素子をボディに収納しようとしても、逆組み防止リブの干渉により、ボディに開閉素子を挿入することができなくなる。これにより、開閉素子のボディへの逆組みを防止することができる。
【図面の簡単な説明】
【図１】（ａ）はＢ，Ｄ接点タイプのスイッチ装置で使用する開閉素子の平面図、（ｂ）はＣ，Ｅ接点タイプのスイッチ装置で使用する開閉素子の平面図である。
【図２】（ａ），（ｂ）は図１（ａ）の開閉素子などを示す斜視図である。
【図３】図１（ａ），図２の開閉素子が使用されるＢ接点タイプのスイッチ装置の斜視図である。
【図４】（ａ），（ｂ），（ｃ）はそれぞれＢ接点タイプのスイッチ装置の正面図、長尺側の側面図、短尺側の側面図である。
【図５】Ｂ接点タイプのスイッチ装置の断面図である。
【図６】図１（ａ），図２の開閉素子が使用されるＤ接点タイプのスイッチ装置の斜視図である。
【図７】（ａ），（ｂ），（ｃ）はそれぞれＤ接点タイプのスイッチ装置の正面図、長尺側の側面図、短尺側の側面図である。
【図８】Ｄ接点タイプのスイッチ装置の断面図である。
【図９】図１（ｂ）の開閉素子が使用されるＣ接点タイプのスイッチ装置の斜視図である。
【図１０】（ａ），（ｂ），（ｃ）はそれぞれＣ接点タイプのスイッチ装置の正面図、長尺側の側面図、短尺側の側面図である。
【図１１】Ｃ接点タイプのスイッチ装置の断面図である。
【図１２】図１（ｂ）の開閉素子が使用されるＥ接点タイプのスイッチ装置の斜視図である。
【図１３】（ａ），（ｂ），（ｃ）はそれぞれＥ接点タイプのスイッチ装置の正面図、長尺側の側面図、短尺側の側面図である。
【図１４】Ｅ接点タイプのスイッチ装置の断面図である。
【図１５】スイッチ装置の分解斜視図である。
【図１６】（ａ），（ｂ），（ｃ）はそれぞれ図１５のスイッチ装置の正面図、側面図、下面図である。
【図１７】図１５のスイッチ装置の断面図である。
【図１８】別のスイッチ装置の分解斜視図である。
【図１９】別のスイッチ装置の分解斜視図である。
【図２０】（ａ），（ｂ），（ｃ）はそれぞれ図１９のスイッチ装置の正面図、側面図、下面図である。
【図２１】図１９のスイッチ装置の断面図である。
【図２２】別のスイッチ装置の分解斜視図である。
【符号の説明】
１Ｂ，１Ｄ，１Ｃ，１Ｅ  ボディ
１１，１１1 ，１１2 ，５８，６０，１１1'，１１2'  接点端子
１２，１２1 ，１２2 ，  共通端子
１９ＢＤ，１９ＣＥ  開閉素子
３０  反転ハンドル
３２  コイルスプリング
２  カバー
３８ｂ，３８ｃ  操作ハンドル
【図１】
0003835159.tif 000002
【図２】
0003835159.tif 000003
【図３】
0003835159.tif 000004
【図４】
0003835159.tif 000005
【図５】
0003835159.tif 000006
【図６】
0003835159.tif 000007
【図７】
0003835159.tif 000008
【図８】
0003835159.tif 000009
【図９】
0003835159.tif 000010
【図１０】
0003835159.tif 000011
【図１１】
0003835159.tif 000012
【図１２】
0003835159.tif 000013
【図１３】
0003835159.tif 000014
【図１４】
0003835159.tif 000015
【図１５】
0003835159.tif 000016
【図１６】
0003835159.tif 000017
【図１７】
0003835159.tif 000018
【図１８】
0003835159.tif 000019
【図１９】
0003835159.tif 000020
【図２０】
0003835159.tif 000021
【図２１】
0003835159.tif 000022
【図２２】
0003835159.tif 000023